(57)【要約】      （修正有）【課題】種々の肺活量にも対応可能な息圧選択装置、及び当該息圧選択装置を有する吹奏楽器を提供する。【解決手段】息圧選択装置は、吹口部９と、ウィンドウェイ部２と、エッヂ部３とを有する吹奏楽器に設けられる息圧選択装置であって、ウィンドウェイ部出口からエッヂ部までの距離は、可変可能である。また、息圧選択装置において、ウィンドウェイ部は、ウィンドウェイ部の長手方向において、スライド可能であり、着脱可能である。【選択図】図１
2018025593.tif 000002
【特許請求の範囲】
【請求項１】
吹口部と、ウィンドウェイ部と、エッヂ部とを有する吹奏楽器に設けられる息圧選択装置であって、前記ウィンドウェイ部出口から前記エッヂ部までの距離は、可変可能であることを特徴とする息圧選択装置。
【請求項２】
前記ウィンドウェイ部は、前記ウィンドウェイ部の長手方向において、スライド可能である請求項１記載の息圧選択装置。
【請求項３】
前記ウィンドウェイ部は、着脱可能である請求項１又は２記載の息圧選択装置。
【請求項４】
さらに、取っ手部を有し、前記取っ手部により前記距離を可変可能とする請求項１〜３のいずれか１項に記載の息圧選択装置。
【請求項５】
吹口部と、ウィンドウェイ部と、エッヂ部とを有する吹奏楽器であって、請求項１〜４のいずれか1項に記載の息圧選択装置を有することを特徴とする吹奏楽器。
【発明の詳細な説明】
【技術分野】
【０００１】
本発明は、息圧選択装置、及び当該息圧選択装置を有する吹奏楽器に関し、特に、音量を変化させることが可能な息圧選択装置、及び当該息圧選択装置を有する吹奏楽器に関するものである。
【背景技術】
【０００２】
これまで、木管楽器においては、リードの振動、または、空気の流れによって起こる振動で音を発するため、それらの振動幅を抑えることで、弱音、消音を実現している。
特に、木管楽器に含まれるリコーダーは、窓部とウィンドウェイ部からなるエアリードを有し、空気の流れによって起こる振動で発音する吹奏楽器であり、この窓部とウィンドウェイ部、エッジ部に部材や装置を設置することで、音量調整が達成されることが知られている（特許文献１）。
【０００３】
たとえば、特許文献１に記載の技術では、リコーダーを含むエアリードを有する吹奏楽器において、音質を変えることなく発音可能なウィンドウェイ部と窓部とエッジ部の部分に装着する音量調整装置が提案されている。
【先行技術文献】
【特許文献】
【０００４】
【特許文献１】特開２０１３−１３７４８１号公報
【発明の概要】
【発明が解決しようとする課題】
【０００５】
しかしながら、上記特許文献1を含めて従来においては、ウィンドウェイ部等の長さは、一つ一つの製品に応じて固定されているため、以下の様な問題点を有している。
【０００６】
吹奏楽器は、通常、吹口部より息を吹き込むことで、気流を発生させ、当該気流がウィンドウェイ部を通過し、ウィンドウェイ部を抜けた後、エッヂ部に当たり、気流が楽器の内外に流れる事で、空気振動を発生させ発音する。
【０００７】
こうしたエアリード楽器は、エッヂ部を保有する、唄口（ウィンドホール）のサイズや形状により、気流の吹き込むべき息の強さ（発生させるべき気流のスピード）が決定される。そして、楽器の適正な発音をするためには、ウィンドウェイ部を出てから、エッヂ部に気流が当たる際には適切なスピードで気流を当てる（届ける）必要がある。仮にウィンドウェイ部出口からエッヂ部までの距離（径）が延びた場合は、適正な気流を当てる（届かせる）ために、距離が延びた分、より強い気流を発生させる（より強い息を吹き入れる）必要が出てくる。
【０００８】
つまり、唄口のサイズと求められる息圧の強さは比例するということであり、逆に言えば楽器制作者は、吹き入れたい息の強さに合わせ、任意に唄口サイズを調整することで、ユーザーの肺活量に合った息圧を要する楽器を制作することができる。これにより、現在、吹奏楽器はそれぞれの種類（リコーダー、オカリナなどの分別）に置いても、様々な息圧の楽器が用意されている。
【０００９】
しかし、ユーザー（楽器愛好家）が楽器に求めるニーズは、単に自身の肺活量に合った息圧の問題だけではなく、様々な要素が存在する。例えば、自身の手の形によく合うサイズでなおかつ音色も気に入っている楽器が存在するが、当該楽器が必要とする息圧（気流）が自身の肺活量と合わないため、その楽器を選択できないと言ったケースが多々ある等の問題点を有する。愛好家が求める息圧は、厳密には愛好家の数の分だけ存在し、全ての愛好家に合わせた楽器を作ることは不可能ということになる。
【００１０】
さらに、吹奏楽器の中でも、とりわけ、オカリナなどの壺状楽器や閉管楽器においては、同一の音程において、息の強弱に僅かな差をつけるだけで音質、音程が著しく乱れる特性をもつため、高難度特殊奏法などの例外を除き、基本的には一切、吹き込む息の強さを変えることができない。基本的に吹奏楽器は吹き入れる息の強さにより、音量が変動する為、息の強さを変えられない壺状楽器、閉管楽器においては、本来音楽に求められる必須表現である「ダイナミクス（音量表現）」を一切行うことが出来ないため、他の楽器と比較し、演奏表現に制限があり極めて不利という問題点も有する。
【００１１】
したがって、種々の肺活量にも対応可能な息圧選択装置の開発が望まれる。しかし、このような息圧選択装置はこれまで知られていない。
【００１２】
そこで、本発明は、種々の肺活量にも対応可能な息圧選択装置、及び当該息圧選択装置を有する吹奏楽器を提供することを目的とする。
【課題を解決するための手段】
【００１３】
上記目的を達成するために、本発明者は、息圧選択装置について鋭意検討を行った結果、本発明を見出すに至った。
【００１４】
すなわち、本発明の息圧選択装置は、吹口部と、ウィンドウェイ部と、エッヂ部とを有する吹奏楽器に設けられる息圧選択装置であって、前記ウィンドウェイ部出口から前記エッヂ部までの距離は、可変可能であることを特徴とする。
【００１５】
また、本発明の息圧選択装置の好ましい実施態様において、前記ウィンドウェイ部は、前記ウィンドウェイ部の長手方向において、スライド可能であることを特徴とする。
【００１６】
また、本発明の息圧選択装置の好ましい実施態様において、前記ウィンドウェイ部は、着脱可能であることを特徴とする。
【００１７】
また、本発明の息圧選択装置の好ましい実施態様において、さらに、取っ手部を有し、前記取っ手部により前記距離を可変可能とすることを特徴とする。
【００１８】
また、本発明の吹奏楽器は、吹口部と、ウィンドウェイ部と、エッヂ部とを有する吹奏楽器であって、本発明の息圧選択装置を有することを特徴とする。
【発明の効果】
【００１９】
本発明の息圧選択装置によれば、吹き手の肺活量に合わせた息圧、または演奏したい音量を任意に設定することができるという有利な効果を奏する。
【図面の簡単な説明】
【００２０】
【図１】図１は、本発明の一実施態様における例を示す図である。気流が、吹口部からウィンドウェイ部を通ってエッヂ部へ当たるまでの様子を示したものである。
【図２】図２は、本発明の一実施形態を示す図である。ウィンドウェイ部出口からエッヂ部までの距離が図3のものに比べて短い場合の態様を示す。
【図３】図３は、本発明の一実施形態を示す図である。ウィンドウェイ部出口からエッヂ部までの距離が図２のものに比べて長い場合の態様を示す。
【図４】図４は、一般的なオカリナを表（ａ）と裏（ｂ）から見た状態を示した説明図を示す。
【図５】図５は、図２におけるA−B間での断面図の概略を示す。
【発明を実施するための形態】
【００２１】
本発明の息圧選択装置は、吹口部と、ウィンドウェイ部と、エッヂ部とを有する吹奏楽器に設けられる息圧選択装置であって、前記ウィンドウェイ部出口から前記エッヂ部までの距離は、可変可能であることを特徴とする。本発明に適用可能な吹奏楽器は、吹口部より、息を吹き込むことで、気流を発生させ、気流がウィンドウェイ部を通過し、ウィンドウェイを抜けた後エッヂ部に当たり、気流が楽器の内外に流れる事で、空気振動を発生させ発音する、エアリード方式の発音構造を持っている吹奏楽器を挙げることができる。例えば、適用可能な楽器として、インディアンフルート、オカリナ、ティンホイッスル、リコーダーなどの楽器に本発明を好ましく適用することができる。本発明に適用可能な楽器としては、吹口部と、ウィンドウェイ部と、唄口部（ウィンドホール部）を有する限り特に限定されない。
【００２２】
なお、本発明の息圧選択装置は、既存の吹奏楽器のウィンドウェイ部、又はエッヂ部等に組み込むか、あらかじめ吹奏楽器に設置されていてもよい。組み込み方法、及びあらかじめ設置する場合の方法は、常法により特に限定されない。
【００２３】
本発明において、吹口部、ウィンドウェイ部、及びエッヂ部の形状、構造等も特に限定されない。例えば、エッヂ部等については、円形、楕円形、三角形、四角形等種々のものを挙げることができるが、これらにおいても本発明を適用可能である。
【００２４】
本発明においては、前記ウィンドウェイ部出口から前記エッヂ部までの距離、厳密には、ウィンドウェイ部出口からエッヂ部先端部（吹口側）（先端とは、例えば、図５の１０参照）までの距離は、可変可能である。本発明において、ウィンドウェイ部出口から前記エッヂ部までの距離を可変可能であれば特に限定されない。例えば、ウィンドウェイ部内に、取替可能なウィンドウェイ部材を挿入して、ウィンドウェイ部出口から前記エッヂ部までの距離を可変可能とすることができる。また、種々の長さのウィンドウェイ部材を多数用意して、所望の状況に応じて、最適な息圧選択を達成する当該部材をウィンドウェイ内に挿入すれば、所望の音量を達成することができる。ウィンドウェイ部材の材質として、例えば、シリコンゴム、その他ゴム全般、木材全般、プラスチック類全般、ガラス全般、陶器、その他空気を通しにくい材質のもの等を挙げることができる。なお、部材には、取り外ししやすいように、タグを設けて、当該タグをピンセットでつかみ、部材を引張出しやすくしても良い。
【００２５】
また、例えば、エッヂ部内に、取替可能なエッヂ部材を挿入して、ウィンドウェイ部出口から前記エッヂ部までの距離を可変可能とすることができる。種々の長さのエッヂ部材を多数用意して、所望の状況に応じて、最適な息圧選択を達成する当該部材をエッヂ部内に挿入して、ウィンドウェイ部出口から前記エッヂ部までの距離を可変可能とすれば、所望の音量を達成することができる。エッヂ部材の材質として、例えば、シリコンゴム、その他ゴム全般、木材全般、プラスチック類全般、ガラス全般、陶器、その他空気を通しにくい材質のもの等を挙げることができる。なお、部材には、取り外ししやすいように、タグを設けて、当該タグをピンセットでつかみ、部材を引張出しやすくしても良い。このように、ウィンドウェイ部側のみ、エッヂ部側のみ、又は両者によって、ウィンドウェイ部出口から前記エッヂ部までの距離を可変可能とすることができる。
【００２６】
また、本発明の息圧選択装置の好ましい実施態様において、前記ウィンドウェイ部は、前記ウィンドウェイ部の長手方向において、スライド可能であることを特徴とする。スライド可能とすることにより、ウィンドウェイ部出口から前記エッヂ部までの距離を自在に変更することができる。こうして、楽器に求められる息圧並びにそれに比例して発生する音量を、任意に調整することができる。なお、ウィンドウェイ部の気流の通過孔の断面が、回転により、ウィンドウェイ部の通過孔の形状等を妨げない仕様においては、回転させることにより、ウィンドウェイ部出口から前記エッヂ部までの距離を変更してもよい。
【００２７】
また、本発明の息圧選択装置の好ましい実施態様において、前記ウィンドウェイ部は、着脱可能であることを特徴とする。ウィンドウェイ部自体が着脱可能とすることにより、種々の長さのウィンドウェイ部を多数用意して、所望の状況に応じて、最適な息圧選択を達成するように、ウィンドウェイ内に挿入すれば、所望の音量を達成することができる。ウィンドウェイ部の材質として、例えば、シリコンゴム、その他ゴム全般、木材全般、プラスチック類全般、ガラス全般、陶器、その他空気を通しにくい材質のもの等を挙げることができる。なお、着脱可能なウィンドウェイ部には、取り外ししやすいように、タグを設けて、当該タグをピンセットでつかみ、ウィンドウェイ部を引張出しやすくしても良い。
【００２８】
また、本発明の息圧選択装置の好ましい実施態様において、さらに、取っ手部を有し、前記取っ手部により前記距離を可変可能とすることを特徴とする。取っ手部があることにより、より操作が容易となる。操作が容易となれば、演奏中の調整もより行いやすくなり、たとえ同じ楽器であっても、これまでにない、演奏表現を実現することができる。
【００２９】
また、本発明の吹奏楽器は、吹口部と、ウィンドウェイ部と、エッヂ部とを有する吹奏楽器であって、本発明の息圧選択装置を有することを特徴とする。マウスピースのような外付けの部品として、ウィンドウェイ部を着脱可能としてもよく、あらかじめ楽器本体に本発明に基づく仕組みを組み入れて一体化し制作することでも、同様の息圧選択効果を得ることができる。
【実施例】
【００３０】
ここで、本発明の実施例を説明するが、本発明は、下記の実施例に限定して解釈されるものではない。また、本発明の要旨を逸脱することなく、適宜変更することが可能であることは言うまでもない。
【００３１】
実施例１
【００３２】
吹奏楽器として、オカリナを一例に挙げて説明する。図４は、一般的なオカリナを表（ａ）と裏（ｂ）から見た状態を示した説明図を示す。図４において、ａは吹口部、ｂはウィンドウェイ部、ｃはエッジ部、ｄは窓部、ｅは唄口部、ｆはトーンホール（指孔）をそれぞれ示す。本発明を適用可能な吹奏楽器は、多少の形状の相違はあっても、基本的に、吹口部、ウィンドウェイ部及びエッヂ部を有していれば足りる。この図においては、唄口部は、楕円状であるが、円状、三角形、四角形等種々のものでも本発明を適用可能である。また、エッヂ部も半円状であるが、円状、楕円状、三角形状、四角形状等の種々の形状のものでも本発明を適用可能である。
【００３３】
図4を用いて、気流の流れを説明すると、吹奏楽器は、通常、吹口部aより息を吹き込むことで、気流を発生させ、当該気流がウィンドウェイ部bを通過し、ウィンドウェイ部bを抜けた後、エッヂ部cに当たり、気流が楽器の内外に流れる事で、空気振動を発生させ発音する。
【００３４】
図１は、本発明の一実施態様における例を示す図である。気流１が、吹口部９からウィンドウェイ部２を通ってエッヂ部３へ当たるまでの様子を示したものである。図１において、１は気流、２はウィンドウェイ部、３はエッジ部、４は楽器の外に流れる気流、５は楽器の中に流れる気流、７は取っ手部、９は吹口部、１３は楽器本体（本体の一部のみ図示）を、それぞれ示す。このように本発明は、ウィンドウェイ部２を着脱、または稼働可能にする等して、ウィンドウェイ部出口から、エッヂ部３までの距離（唄口縦の径）を任意に変更調整できる様にしたものである。これにより、本発明の息圧選択装置によれば、吹き手の肺活量に合わせた息圧、または演奏したい音量を任意に設定することができる。
【００３５】
図２は、本発明の一実施形態を示す図である。ウィンドウェイ部出口からエッヂ部までの距離が図3のものに比べて短い場合の態様を示す。図２において、２はウィンドウェイ部、６はウィンドウェイ部出口からエッヂ部までの距離、７は取っ手部、９は吹口部を、それぞれ示す。
【００３６】
図２は、楽器の一部を含めた内部図面の一部である。この態様においては、ウィンドウェイ部２は可動式になっており、当該ウィンドウェイ部２を、楽器１３本体側（図２では下の方）まで押し込み、ウィンドウェイ部出口からエッヂ部までの距離６（唄口の径）が最も短くなる様に調整した状態である。この場合、発音に要する息圧（気流スピード）は最も弱く（遅く）なる。同時に、音量は最も小さくなる。なお、図では、ウィンドウェイ部側で距離６を調整しているが、エッヂ部側で距離６を調整してもよい。
【００３７】
図３は、本発明の一実施形態を示す図である。ウィンドウェイ部出口からエッヂ部までの距離が図２のものに比べて長い場合の態様を示す。図３において、２はウィンドウェイ部、７は取っ手部、８はウィンドウェイ部出口からエッヂ部までの距離（6の距離より伸ばした場合）、９は吹口部を、それぞれ示す。
【００３８】
図３は、楽器の一部を含めた内部図面の一部である。この態様においては、ウィンドウェイ部２を吹口９側（図では上）まで引っ張り、ウィンドウェイ部出口からエッヂ部までの距離８（唄口の径）が最も長くなる様に調整した状態である。この場合、発音に要する息圧（気流スピード）は最も強く（早く）なる。同時に、音量は最も大きくなる。
【００３９】
図２及び図３において、７は、ウィンドウェイ部２を上下に稼働する為の取っ手部（引っ掛かり）であり、演奏中であっても未使用の指でウィンドウェイ部２の位置を上下に調整することができる。これにより、演奏に連動したリアルタイムの調整、即ちダイナミクス（音量）表現が可能になる。
【００４０】
ダイナミクス表現にこだわらなければ、図面の様な取っ手部７を付けた、上下可動式でなく、ウィンドウェイ部２のパーツを、長さや内部形状を変更したものをそのまま取り替える事で、唄口縦の径を調整し、息圧や音量を変更する方式でも良い。交換式の際に使用する、材質、形状などは特に指定はなく、オカリナ等を初めとする吹奏楽器本体の形状、材質に合わせた適正なものであれば、どの様な素材、形状でも構わない。
【００４１】
図５は、図２におけるA−B間での断面図の概略を示す。図５において、１は気流、２はウィンドウェイ部、３はエッジ部、４は楽器の外に流れる気流、５は楽器の中に流れる気流、６はウィンドウェイ部出口からエッヂ部までの距離、８はウィンドウェイ部出口からエッヂ部までの距離（6の距離より伸ばした場合）、９は吹口部、１０はエッヂ部のウィンドウェイ側の先端（ここに気流が当たり、楽器の内外に気流を分ける。）、１１はウィンドウェイ部出口、１２はウィンドウェイ部出口からエッヂ部までの距離を、それぞれ示す。
【００４２】
図５は、ウィンドウェイ部出口からエッヂ部までの距離６、８又は１２を、より理解しやすいように図２のA-B間の断面を示したものである。図５においては、ウィンドウェイ部出口からエッヂ部までの距離は一定となっているが、本発明においては、当該距離１２を、図２のように短くし（６の距離のように）、又は図３のように長くする（８の距離のように）ことが可能である。
【００４３】
このように、本発明の息圧選択装置によれば、吹奏楽器のウィンドウェイ部を着脱交換式、または前後（上下）方向にスライド稼働可能な方式にすることにより、唄口（ウィンドホール）縦方向の径を変更調整し、楽器に求められる息圧並びにそれに比例して発生する音量を、任意に調整することができることが判明した。また、本発明によれば、息圧の強弱に比例して音量を変化させることができることも判明した。
【００４４】
さらに、本発明の息圧選択装置を用いて実際に演奏を行った結果、演奏中に息圧選択装置によりウィンドウェイ部出口からエッヂ部までの距離を調整可能にすることで自在に息圧、音量をリアルタイム変化させ、演奏表現に反映させることができることも判明した。
【産業上の利用可能性】
【００４５】
本発明は、総じて懸案となっている楽器業界全体の活性化と拡大に寄与し、手軽に演奏できる楽器としてリコーダー等とともに教育機関で使用していただくきっかけを作る可能性を提供する。
【符号の説明】
【００４６】
ａ     吹口部
ｂ     ウィンドウェイ部
ｃ     エッジ部
ｄ     窓部
ｅ     唄口部
ｆ     トーンホール（指孔）
１     気流
２     ウィンドウェイ部
３     エッジ部
４     楽器の外に流れる気流
５     楽器の中に流れる気流
６     ウィンドウェイ部出口からエッヂ部までの距離
７     取っ手部
８     ウィンドウェイ部出口からエッヂ部までの距離（6の距離より伸ばした場合）
９     吹口部
１０   エッヂ部のウィンドウェイ側の先端
１１   ウィンドウェイ部出口
１２   ウィンドウェイ部出口からエッヂ部までの距離
１３   楽器本体（本体の一部のみ図示）
【図１】
2018025593.tif 000003
【図２】
2018025593.tif 000004
【図３】
2018025593.tif 000005
【図４】
2018025593.tif 000006
【図５】
2018025593.tif 000007